(57)【要約】  体臭のモデル組成物は、アリルメルカプタン及びジメチルトリスルフィドのうちの少なくとも１つを含む硫黄化合物を含む。
2019198648.tif 000002
【特許請求の範囲】
【請求項１】
アリルメルカプタン及びジメチルトリスルフィドのうちの少なくとも１つを含む硫黄化合物を含む、体臭のモデル組成物。
【請求項２】
前記体臭は、精神的ストレスに起因して体内から発せられる臭いである、請求項１に記載のモデル組成物。
【請求項３】
前記精神的ストレスは対人に関するストレスである、請求項２に記載のモデル組成物。
【請求項４】
前記精神的ストレスは、安静平常時よりも心拍数が２０ｂｐｍ以上高まった状態において掛かるストレスである、請求項２又は３に記載のモデル組成物。
【請求項５】
アリルメルカプタンを０．１ｐｐｂ〜１，０００ｐｐｍ含む、請求項１〜４のいずれか一項に記載のモデル組成物。
【請求項６】
ジメチルトリスルフィドを１ｐｐｂ〜１０，０００ｐｐｍ含む、請求項１〜４のいずれか一項に記載のモデル組成物。
【請求項７】
前記硫黄化合物は、アリルメルカプタン及びジメチルトリスルフィドの両方を含む、請求項１〜６のいずれか一項に記載のモデル組成物。
【請求項８】
アリルメルカプタン１質量部に対して、ジメチルトリスルフィドが２質量部〜５０質量部である、請求項７に記載のモデル組成物。
【請求項９】
前記硫黄化合物は、硫化水素、メチルメルカプタン、二硫化炭素、ジメチルスルフィド、及びジメチルジスルフィドからなる群から選択される少なくとも１つの化合物をさらに含有する、請求項１〜８のいずれか一項に記載のモデル組成物。
【請求項１０】
前記硫黄化合物を０．１ｐｐｂ〜１０，０００ｐｐｍ含む、請求項１〜９のいずれか一項に記載のモデル組成物。
【請求項１１】
０．１ｐｐｂ〜１，０００ｐｐｍの１−オクテン−３−オンをさらに含む、請求項１〜１０のいずれか一項に記載のモデル組成物。
【請求項１２】
空気を主たる成分として含む、請求項１〜１１のいずれか一項に記載のモデル組成物。
【請求項１３】
精神的ストレスが掛かった状態にある人の体内から発生した分泌成分を含み、
前記分泌成分は、アリルメルカプタン及びジメチルトリスルフィドのうちの少なくとも１つを含む硫黄化合物を含む、ガス組成物。
【請求項１４】
前記精神的ストレスは対人に関するストレスである、請求項１３に記載のガス組成物。
【請求項１５】
前記精神的ストレスは、安静平常時よりも心拍数が２０ｂｐｍ以上高まった状態において掛かるストレスである、請求項１３又は１４に記載のガス組成物。
【請求項１６】
前記分泌成分は、硫化水素、メチルメルカプタン、二硫化炭素、ジメチルスルフィド、及びジメチルジスルフィドからなる群から選択される少なくとも１つの化合物をさらに含有する、請求項１３〜１５のいずれか一項に記載のガス組成物。
【請求項１７】
前記分泌成分は、１−オクテン−３−オンをさらに含有する、請求項１３〜１６のいずれか一項に記載のガス組成物。
【請求項１８】
空気を主たる成分として含む、請求項１３〜１７のいずれか一項に記載のガス組成物。
【請求項１９】
被検者に精神的ストレスを付与するストレス付与工程と、
前記被検者が前記精神的ストレスを受けている間に前記被検者の体内から発生する成分を含むガスを採取する採取工程と、
を含む、分泌成分の採取方法。
【請求項２０】
前記精神的ストレスは対人に関するストレスである、請求項１９に記載の採取方法。
【請求項２１】
前記ストレス付与工程において、前記被検者の心拍数を安静平常時よりも２０ｂｐｍ以上高める精神的ストレスを前記被検者に付与する、請求項１９又は２０に記載の採取方法。
【請求項２２】
前記採取工程において採取したガスから前記成分として硫黄化合物を抽出する、請求項１９〜２１のいずれか一項に記載の採取方法。
【請求項２３】
前記硫黄化合物は、アリルメルカプタン及びジメチルトリスルフィドのうちの少なくとも１つを含む、請求項２２に記載の採取方法。
【請求項２４】
前記硫黄化合物は、硫化水素、メチルメルカプタン、二硫化炭素、ジメチルスルフィド、及びジメチルジスルフィドからなる群から選択される少なくとも１つの化合物をさらに含む、請求項２３に記載の採取方法。
【請求項２５】
前記採取工程において採取したガスから前記成分として１−オクテン−３−オンを抽出する、請求項１９〜２４のいずれか一項に記載の採取方法。
【請求項２６】
前記採取工程において、前記成分は、前記被検者の手のひら、脇、足、背中、頭部、口腔及び呼気のうちの少なくとも１つから発せられる成分である、請求項１９〜２５のいずれか一項に記載のガス採取方法。
【請求項２７】
被検者の体内から発生する第１の分泌成分を採取する第１の採取工程と、
前記第１の分泌成分を使用して前記被検者の精神状態を判定する判定工程と、
を含む、被検者の精神状態の判定方法。
【請求項２８】
前記判定工程において、前記第１の分泌成分の臭いによって前記被検者の精神状態を判定する、請求項２７に記載の判定方法。
【請求項２９】
前記判定工程においてガスクロマトグラフィ嗅覚分析法を用いて前記臭いを検知する、請求項２７又は２８に記載の判定方法。
【請求項３０】
前記判定工程において、前記第１のガスから硫黄化合物に起因する臭いを検知した場合に前記被検者は精神的ストレス負荷状態にあると判定する、請求項２７〜２９のいずれか一項に記載の判定方法。
【請求項３１】
前記第１のガスに含まれる硫黄化合物を分析する第１の分析工程をさらに含み、
前記判定工程において、前記分析工程において硫黄化合物が検出された場合に前記被検者は精神的ストレス負荷状態にあると判定する、請求項２７〜３０のいずれか一項に記載の判定方法。
【請求項３２】
前記硫黄化合物は、アリルメルカプタン及びジメチルトリスルフィドのうちの少なくとも１つである、請求項３１に記載の判定方法。
【請求項３３】
前記硫黄化合物には、硫化水素、メチルメルカプタン、二硫化炭素、ジメチルスルフィド、及びジメチルジスルフィドからなる群から選択される少なくとも１つの化合物がさらに含まれる、請求項３２に記載の判定方法。
【請求項３４】
前記第１の分析工程において、前記第１のガスに１−オクテン−３−オンがさらに含まれているかを分析し、
前記判定工程において、前記分析工程において１−オクテン−３−オンがさらに検出された場合に前記被検者は精神的ストレス負荷状態にあると判定する、請求項３１〜３３のいずれか一項に記載の判定方法。
【請求項３５】
前記第１の採取工程の前又は前記第１の採取工程の間に、前記被検者に精神的ストレスが掛かっているかを判定するための第１の状態に前記被検者をおく第１の状態設定工程をさらに含む、請求項２７〜３４のいずれか一項に記載の判定方法。
【請求項３６】
前記被検者に精神的ストレスが掛かっていない第２の状態に前記被検者をおく第２の状態設定工程と、
前記被検者が前記第２の状態にあるときに前記被検者の体内から発生する第２の分泌成分を採取する第２の採取工程をさらに含み、
前記判定工程において、前記第１の分泌成分と前記第２の分泌成分の比較によって前記被検者の精神状態を判定する、請求項２７〜３５のいずれか一項に記載の判定方法。
【請求項３７】
前記判定工程において、前記第１の分泌成分の臭いと前記第２の分泌成分の臭いとを比較する、請求項３６に記載の判定方法。
【請求項３８】
前記判定工程において、前記第１の分泌成分に含まれる硫黄化合物と前記第２の分泌成分に含まれる硫黄化合物とを比較する、請求項３６又は３７に記載の判定方法。
【発明の詳細な説明】
【関連出願】
【０００１】
本発明は、日本国特許出願：特願２０１８−０７８０３９号（２０１８年４月１３日出願）の優先権主張に基づくものであり、同出願の全記載内容は引用をもって本書に組み込み記載されているものとする。
【技術分野】
【０００２】
本開示は、体臭のモデル組成物に関し、特に、人が緊張状態にあるときの体臭のモデル組成物に関する。本開示は、人体から分泌されるガス組成物に関し、特に、人が緊張状態にあるときに人体から分泌されるガス組成物に関する。本開示は、人体から分泌されるガスの採取方法に関し、特に、緊張状態にある人から分泌されるガスの採取方法に関する。また、本開示は、精神状態の判定方法に関し、特に、人が緊張状態にあるか否かを判定する方法に関する。
【背景技術】
【０００３】
人体の皮膚から発せられる臭気成分による臭いの多くは、不快に感じる臭いであり、一般的には「体臭」と呼ばれている。例えば、中高年に特有の体臭として「加齢臭」が知られている。加齢臭は、人の皮膚上で生成されるノネナールに起因するものと、体内から生じるものがある。加齢に伴って加齢臭が強くなるのは、体表においてノネナールの原料物質となる皮脂中の９−ヘキサデセン酸が加齢に伴って増加するためであることが判明している（例えば、特許文献１参照）。また、ニンニクの摂取に起因するニンニク臭は、口臭のみならず、血液中に吸収されたニンニク臭成分が皮膚からも放出されて体臭にもなることが知られている。このように、体臭の原因としては、加齢、食事等、種々の要因があると考えられている。
【先行技術文献】
【特許文献】
【０００４】
【特許文献１】特開平１１−２８６４２３号公報
【発明の概要】
【発明が解決しようとする課題】
【０００５】
本発明者らは、精神的ストレスによって心拍数が上がるようなストレス状態（緊張状態）にある人の周囲に特有の臭いがあることに気が付いた。そこで、本発明者らは、その臭いの原因について研究したところ、その臭いは、精神的ストレス状態にある人から分泌・放出される物質に起因する体臭（以下、本開示において「ストレス臭」及び「緊張臭」と称する。）であることが判明した。【０００６】
このストレス臭は、硫黄系の臭いであり、多くの人が不快に感じるであろう臭いである。近年、体臭への関心が高まっていることもあり、ストレス臭を抑制する香料（マスキング剤）、消臭剤等のストレス臭抑制手段の研究開発が期待される。このような研究開発のためには、ストレス臭原因成分を含有するガスが必要となる。しかしながら、ストレス臭ガスを人から直接収集するためには、被検者を緊張状態に落とし入れなければならないので状況設定に多大な労力を要する。また、慣れ等により被検者がストレス状態にならなくなった場合にはその被検者からはストレス臭ガスを採取することが困難となり、さらには、一人の被検者からはストレス臭ガスをごく少量しか採取することができないので、ストレス臭ガスの直接採取のためには大人数の被検者が必要となる。そこで、ストレス臭対策の効率的な研究開発のためには、ストレス臭と同じか又は類似する臭いを有するモデルガス（以下、「モデル組成物」という。）が必要となる。【０００７】
また、精神的ストレス状態にある人から分泌、放出される物質については未解明な点も多い。例えば、精神的ストレス状態にある人から分泌された物質が、フェロモンのように何らかの生理活性作用を有する可能性も否定することはできない。そこで、ストレス臭対策の研究開発の他にも、分泌物質による作用の研究開発のためには、人から直接採取された分泌ガス組成物が必要になると共に、その採取方法が確立されていることが望まれる。【０００８】
人は、現在、自分がどのような精神状態にあるのか認識することが困難なことがある。また、自分がどのような状況によって精神的ストレス状態や緊張状態となるのかを自覚していないこともある。また、どのような状態のときに精神的ストレス状態や緊張状態となるかは個人差があると考えられる。心拍数によってストレス状態を判定することもあるが、心拍数は、精神状態とは関係なく変動することがあるので、精神状態を判定するための客観的な指標として使用できないことがある。そこで、客観的な指標によって精神状態を判定する方法があることが望まれている。
【課題を解決するための手段】
【０００９】
本開示の第１視点によれば、アリルメルカプタン及びジメチルトリスルフィドのうちの少なくとも１つを含む硫黄化合物を含む、体臭のモデル組成物が提供される。【００１０】
本開示の第２視点によれば、精神的ストレスが掛かった状態にある人の体内から発生した分泌成分を含むガス組成物が提供される。分泌成分は、アリルメルカプタン及びジメチルトリスルフィドのうちの少なくとも１つを含む硫黄化合物を含む。【００１１】
本開示の第３視点によれば、被検者に精神的ストレスを付与するストレス付与工程と、被検者が精神的ストレスを受けている間に被検者の体内から発生する成分を含むガスを採取する採取工程と、を含む、分泌成分の採取方法が提供される。【００１２】
本開示の第４視点によれば、被検者の体内から発生する第１の分泌成分を採取する第１の採取工程と、第１の分泌成分を使用して被検者の精神状態を判定する判定工程と、を含む、被検者の精神状態の判定方法が提供される。
【発明の効果】
【００１３】
本開示の体臭のモデル組成物によれば、ストレス臭と同じ又は類似の臭いを有するガスを簡易に準備することができる。これより、ストレス臭対策に係る研究開発を容易にかつ低コストで実施することができる。【００１４】
本開示のガス組成物及びその採取方法によれば、ストレス臭対策に係る研究開発のみならず、精神的ストレス状態にある人から分泌される成分に係る研究開発、例えば生理活性作用の有無等を容易に行うことができる。【００１５】
本開示の精神状態の判定方法によれば、被検者に主観に関わらず、ある状況下において被検者が緊張状態にあるのか、被検者にストレスが負荷された状態にあるのかを客観的に判定することができる。また、本開示の精神状態の判定方法によれば、被検者がどのような状況によって緊張するのか、被検者にストレスが掛かるのかを客観的な指標によって判定することができる。
【図面の簡単な説明】
【００１６】
【図１】第２実施形態に係る分泌ガス組成物の採取方法の概略工程図。
【図２】第３実施形態の第１例に係る精神状態の判定方法の概略工程図。
【図３】第３実施形態の第２例に係る精神状態の判定方法の概略工程図。
【図４】第３実施形態の第３例に係る精神状態の判定方法の概略工程図。
【図５】試験例において被検者から分泌ガスを採取している状態を説明するための写真。
【発明を実施するための形態】
【００１７】
以下の説明において、図面参照符号は発明の理解のために付記しているものであり、図示の態様に限定することを意図するものではない。また、図示の形状、寸法、縮尺等も図面に示す形態に発明を限定するものではない。各実施形態において、同じ要素には同じ符号を付してある。
【００１８】
上記各視点の好ましい形態を以下に記載する。
【００１９】
上記第１視点の好ましい形態によれば、体臭は、精神的ストレスに起因して体内から発せられる臭いである。
【００２０】
上記第１視点の好ましい形態によれば、精神的ストレスは対人に関するストレスである。
【００２１】
上記第１視点の好ましい形態によれば、精神的ストレスは、安静平常時よりも心拍数が２０ｂｐｍ以上高まった状態において掛かるストレスである。
【００２２】
上記第１視点の好ましい形態によれば、モデル組成物は、アリルメルカプタンを０．１ｐｐｂ〜１，０００ｐｐｍ含む。
【００２３】
上記第１視点の好ましい形態によれば、モデル組成物は、ジメチルトリスルフィドを１ｐｐｂ〜１０，０００ｐｐｍ含む。
【００２４】
上記第１視点の好ましい形態によれば、硫黄化合物は、アリルメルカプタン及びジメチルトリスルフィドの両方を含む。
【００２５】
上記第１視点の好ましい形態によれば、アリルメルカプタン１質量部に対して、ジメチルトリスルフィドが２質量部〜５０質量部である。
【００２６】
上記第１視点の好ましい形態によれば、硫黄化合物は、硫化水素、メチルメルカプタン、二硫化炭素、ジメチルスルフィド、及びジメチルジスルフィドからなる群から選択される少なくとも１つの化合物をさらに含有する。
【００２７】
上記第１視点の好ましい形態によれば、モデル組成物は、硫黄化合物を０．１ｐｐｂ〜１０，０００ｐｐｍ含む。
【００２８】
上記第１視点の好ましい形態によれば、モデル組成物は、０．１ｐｐｂ〜１，０００ｐｐｍの１−オクテン−３−オンをさらに含む。
【００２９】
上記第１視点の好ましい形態によれば、モデル組成物は、空気を主たる成分として含む。
【００３０】
上記第２視点の好ましい形態によれば、精神的ストレスは対人に関するストレスである。
【００３１】
上記第２視点の好ましい形態によれば、精神的ストレスは、安静平常時よりも心拍数が２０ｂｐｍ以上高まった状態において掛かるストレスである。
【００３２】
上記第２視点の好ましい形態によれば、分泌成分は、硫化水素、メチルメルカプタン、二硫化炭素、ジメチルスルフィド、及びジメチルジスルフィドからなる群から選択される少なくとも１つの化合物をさらに含有する。
【００３３】
上記第２視点の好ましい形態によれば、分泌成分は、１−オクテン−３−オンをさらに含有する。
【００３４】
上記第２視点の好ましい形態によれば、ガス組成物は、空気を主たる成分として含む。
【００３５】
上記第３視点の好ましい形態によれば、精神的ストレスは対人に関するストレスである。
【００３６】
上記第３視点の好ましい形態によれば、ストレス付与工程において、被検者の心拍数を安静平常時よりも２０ｂｐｍ以上高める精神的ストレスを被検者に付与する。
【００３７】
上記第３視点の好ましい形態によれば、採取工程において採取したガスから成分として硫黄化合物を抽出する。
【００３８】
上記第３視点の好ましい形態によれば、硫黄化合物は、アリルメルカプタン及びジメチルトリスルフィドのうちの少なくとも１つを含む。
【００３９】
上記第３視点の好ましい形態によれば、硫黄化合物は、硫化水素、メチルメルカプタン、二硫化炭素、ジメチルスルフィド、及びジメチルジスルフィドからなる群から選択される少なくとも１つの化合物をさらに含む。
【００４０】
上記第３視点の好ましい形態によれば、採取工程において採取したガスから成分として１−オクテン−３−オンを抽出する。
【００４１】
上記第３視点の好ましい形態によれば、採取工程において、成分は、被検者の手のひら、脇、足、背中、頭部、口腔及び呼気のうちの少なくとも１つから発せられる成分である。
【００４２】
上記第４視点の好ましい形態によれば、判定工程において、第１の分泌成分の臭いによって被検者の精神状態を判定する。
【００４３】
上記第４視点の好ましい形態によれば、判定工程において、第１のガスから硫黄化合物に起因する臭いを検知した場合に被検者は精神的ストレス負荷状態にあると判定する。
【００４４】
上記第４視点の好ましい形態によれば、判定工程においてガスクロマトグラフィ嗅覚分析法を用いて臭いを検知する。
【００４５】
上記第４視点の好ましい形態によれば、判定方法は、第１のガスに含まれる硫黄化合物を分析する第１の分析工程をさらに含む。判定工程において、分析工程において硫黄化合物が検出された場合に被検者は精神的ストレス負荷状態にあると判定する。
【００４６】
上記第４視点の好ましい形態によれば、硫黄化合物は、アリルメルカプタン及びジメチルトリスルフィドのうちの少なくとも１つである。
【００４７】
上記第４視点の好ましい形態によれば、硫黄化合物には、硫化水素、メチルメルカプタン、二硫化炭素、ジメチルスルフィド、及びジメチルジスルフィドからなる群から選択される少なくとも１つの化合物がさらに含まれる。
【００４８】
上記第４視点の好ましい形態によれば、第１の分析工程において、第１のガスに１−オクテン−３−オンがさらに含まれているかを分析する。判定工程において、分析工程において１−オクテン−３−オンがさらに検出された場合に被検者は精神的ストレス負荷状態にあると判定する。
【００４９】
上記第４視点の好ましい形態によれば、判定方法は、第１の採取工程の前又は第１の採取工程の間に、被検者に精神的ストレスが掛かっているかを判定するための第１の状態に被検者をおく第１の状態設定工程をさらに含む。
【００５０】
上記第４視点の好ましい形態によれば、判定方法は、被検者に精神的ストレスが掛かっていない第２の状態に被検者をおく第２の状態設定工程と、被検者が第２の状態にあるときに被検者の体内から発生する第２の分泌成分を採取する第２の採取工程をさらに含む。判定工程において、第１の分泌成分と第２の分泌成分の比較によって被検者の精神状態を判定する。
【００５１】
上記第４視点の好ましい形態によれば、判定工程において、第１の分泌成分の臭いと第２の分泌成分の臭いとを比較する。
【００５２】
上記第４視点の好ましい形態によれば、判定工程において、第１の分泌成分に含まれる硫黄化合物と第２の分泌成分に含まれる硫黄化合物とを比較する。
【００５３】
本開示の第１実施形態に係る体臭のモデル組成物について説明する。第１実施形態における体臭とは、精神的ストレスが掛かっているとき（ないし緊張しているとき）に体内から発せられる臭いである。ここでいう精神的ストレスには、例えば、対人関係に依拠するストレス等が挙げられる。対人に依拠するストレスとは、例えば、人前（特に大人数の前）で発表している最中のストレス、大切な面接や圧迫的な面接を受けている最中のストレス等が挙げられる。このような精神的ストレス状態は、例えば、運動に起因する心拍数上昇が無い場合には、１分間当たりの心拍数が平常安静時よりも２０ｂｐｍ（beats per minute）以上、好ましくは３０ｂｐｍ以上高くなっている状態ということもできる。平常安静時とは、精神的ストレスなく安静にして心拍数の変動の少ない状態、例えば所定時間以上座ってリラックスした状態、をいう。
【００５４】
本開示のモデル組成物の組成は、精神的ストレス状態にある人の体内から分泌・放出されたガスの分析に基づいて決定することができる。
【００５５】
本開示における臭気成分は血中に含まれていた成分に基づいていると考えられている。本開示において、「体内から発生（分泌・放出）」とは、皮膚、粘膜及び／又は口腔から発生（分泌・放出）することを意味する。本開示にいう「体臭」には口臭も含まれる。
【００５６】
本開示のモデル組成物は、硫黄元素を含有する化合物（硫黄化合物）を含む。硫黄化合物としては、アリルメルカプタン及びジメチルトリスルフィドのうちの少なくとも１つが挙げられる。好ましくは、モデル組成物は、アリルメルカプタン及びジメチルトリスルフィドの両方を含む。
【００５７】
アリルメルカプタンは、モデル組成物の容量に対して、０．１ｐｐｂ以上であると好ましく、０．３ｐｐｂ以上であるとより好ましく、０．５ｐｐｂ以上であるとさらに好ましい。アリルメルカプタンは、１ｐｐｂ以上又は１０ｐｐｂ以上とすることができる。アリルメルカプタンが０．１ｐｐｂ未満であると、ストレス臭の再現効果が低くなってしまう。アリルメルカプタンは、モデル組成物の容量に対して、１，０００ｐｐｍ以下であると好ましく、１００ｐｐｍ以下であるとより好ましく、１０ｐｐｍ以下であるとさらに好ましい。アリルメルカプタンは、１ｐｐｍ以下、５００ｐｐｂ以下、１００ｐｐｂ以下、又は１０ｐｐｂ以下とすることができる。アリルメルカプタンが１，０００ｐｐｍを超えると、ストレス臭の再現効果が低くなってしまう。
【００５８】
ジメチルトリスルフィドは、モデル組成物の容量に対して、１ｐｐｂ以上であると好ましく、２ｐｐｂ以上であるとより好ましく、３ｐｐｂ以上であるとより好ましく、５ｐｐｂ以上であるとさらに好ましい。ジメチルトリスルフィドは、１０ｐｐｂ以上、２０ｐｐｂ以上、５０ｐｐｂ以上、又は１００ｐｐｂ以上とすることができる。ジメチルトリスルフィドが１ｐｐｂ未満であると、ストレス臭の再現効果が低くなってしまう。ジメチルトリスルフィドは、モデル組成物の容量に対して、１０，０００ｐｐｍ以下であると好ましく、１，０００ｐｐｍ以下であるとより好ましく、１００ｐｐｍ以下であるとさらに好ましい。ジメチルトリスルフィドは、１０ｐｐｍ以下、１ｐｐｍ以下、１００ｐｐｂ以下、又は１０ｐｐｂ以下とすることができる。ジメチルトリスルフィドが１０，０００ｐｐｍを超えると、ストレス臭の再現効果が低くなってしまう。
【００５９】
本開示のモデル組成物において、アリルメルカプタンとジメチルトリスルフィドの質量比は、例えば、アリルメルカプタン１質量部に対して、ジメチルトリスルフィドは、２質量部以上、５質量部以上、１０質量部以上、又は１５質量部以上とすることができる。アリルメルカプタンとジメチルトリスルフィドの質量比は、例えば、アリルメルカプタン１質量部に対して、ジメチルトリスルフィドは、５０質量部以下、４０質量部以下、３０質量部以下、又は２５質量部以下とすることができる。アリルメルカプタンとジメチルトリスルフィドの質量比がこの範囲内であれば、モデル組成物は、ストレス臭又はストレス臭に近い臭いを再現することができる。
【００６０】
モデル組成物は、アリルメルカプタン及びジメチルトリスルフィド以外の硫黄化合物（以下「その他硫黄化合物」という。）として、硫化水素、メチルメルカプタン、二硫化炭素、ジメチルスルフィド、及びジメチルジスルフィドからなる群から選択される少なくとも１つの化合物をさらに含有すると好ましい。硫黄化合物の総量は、モデル組成物の容量に対して、０．１ｐｐｂ以上であると好ましく、１ｐｐｂ以上であるとより好ましく、１０ｐｐｂ以上であるとさらに好ましい。硫黄化合物の総量が０．１ｐｐｂ未満であると、ストレス臭の再現効果が低くなってしまう。硫黄化合物の総量は、モデル組成物の容量に対して、１０，０００ｐｐｍ以下であると好ましく、１，０００ｐｐｍ以下であるとより好ましい。硫黄化合物の総量が１０，０００ｐｐｍを超えると、ストレス臭の再現効果が低くなってしまう。
【００６１】
モデル組成物は、非硫黄化合物として、硫黄化合物に対して追加的に又は単独で、１−オクテン−３−オンを含有することができる。１−オクテン−３−オンは、モデル組成物の容量に対して、例えば、０．１ｐｐｂ以上、０．５ｐｐｂ以上、１ｐｐｂ以上、１０ｐｐｂ以上、１００ｐｐｂ以上、又は１ｐｐｍ以上とすることができる。１−オクテン−３−オンは、モデル組成物の容量に対して、例えば、１，０００ｐｐｍ以下、１００ｐｐｍ以下、１０ｐｐｍ以下、又は１ｐｐｍ以下とすることができる。
【００６２】
モデル組成物における硫黄化合物以外の成分は無臭成分であると好ましい。例えば、無臭成分は、空気又は空気と同組成の気体とすることができる。モデル組成物は、有臭成分であっても、ストレス臭を阻害しない範囲において硫黄化合物以外の化合物を含むことができる。
【００６３】
第１実施形態に係る体臭のモデル組成物は、上述の各物質を混合することによって製造することができる。例えば、空気等の無臭の気体に、所定量の硫黄化合物を混合することによって第１実施形態に係るモデル組成物を製造することができる。
【００６４】
第１実施形態に係る体臭のモデル組成物は、ストレス臭と同等又は類似の臭いを有することができる。第１実施形態に係るモデル組成物によれば、人から分泌されたストレス臭ガスを収集するよりも容易に準備することができる。第１実施形態に係るモデル組成物を用いれば、ストレス臭対策の研究開発を容易に行うことができる。
【００６５】
本開示の第２実施形態に係るガス組成物及びその採取方法について説明する。本開示にいうガス組成物は、精神的ストレスが掛かった状態にある人から分泌された成分（分泌物）を含む。この分泌成分の全組成は、本願出願時点においては特定することができていない。また、本開示のガス組成物におけるストレス臭成分の成分割合（含有率）は、個人差があり、また、被検者の体調等にも依存して、ある程度変化すると考えられるため、厳密に特定することが困難である。したがって、第２実施形態に係るガス組成物は、その組成（構造）により直接特定することが不可能であるか、又はおよそ実際的ではない。また、ガス組成物の特性の一部は、その臭いにあるが、臭いを明確に表現することも不可能であり、ガス組成物はその特性により直接特定することが不可能であるか、又はおよそ実際的ではない。したがって、本開示のガス組成物は、その製造方法ないし採取方法によって記載することが許されるべきものである。本開示のガス組成物の以下の組成は、採取した分泌成分の分析によって設定することができる。
【００６６】
本開示のガス組成物は、硫黄化合物を含む。硫黄化合物としては、アリルメルカプタン及びジメチルトリスルフィドのうちの少なくとも１つが挙げられる。好ましくは、モデル組成物は、アリルメルカプタン及びジメチルトリスルフィドの両方を含む。
【００６７】
分泌ガス組成物は、アリルメルカプタン及びジメチルトリスルフィド以外の硫黄化合物（以下「その他硫黄化合物」という。）として、硫化水素、メチルメルカプタン、二硫化炭素、ジメチルスルフィド、及びジメチルジスルフィドからなる群から選択される少なくとも１つの化合物をさらに含有することがある。
【００６８】
本開示のガス組成物は、硫黄化合物以外の化合物（非硫黄化合物）を含有することがある。非硫黄化合物としては、例えば、１−オクテン−３−オンを挙げることができる。
【００６９】
ガス組成物における分泌成分以外の成分は空気又は不活性ガス（例えば窒素ガス）であると好ましい。
【００７０】
本開示のガス組成物は、以下の採取方法によって得られたものとすることができる。図１に、第２実施形態に係るガス組成物の採取方法の概略工程図を示す。
【００７１】
まず、被検者に精神的ストレスを付与する（Ｓ１１；ストレス付与工程）。精神的ストレスとしては、例えば、対人関係に関し被検者が緊張するようなストレスを挙げることができる。例えば、運動に起因する心拍数上昇が無い場合には、被検者の心拍数が平常安静時よりも２０ｂｐｍ以上、好ましくは３０ｂｐｍ以上高くなるような精神的ストレスを被検者に掛けると好ましい。精神的ストレスを付与する方法としては、例えば、数人（人数が多いほど好ましい）の前で特定の行為（例えばプレゼンテーション）をさせる、重要な面接であると被検者に偽って面接を受けさせる、被検者がプレッシャーを感じるように、目的を知らない被検者を圧迫しながら被検者に面接を受けさせる等が挙げられる。
【００７２】
次に、被検者が精神的ストレスを受けている間に被検者の体内から分泌された成分（分泌成分）を採取する（Ｓ１２；採取工程）。分泌成分は、気体又は揮発性であるので、分泌成分を分泌する皮膚の周囲にあるガスを採取することによって採取することができる。
【００７３】
分泌成分を採取する箇所としては、例えば、手（特に手のひら）、脇、足（特に足の裏）、背中、頭部、口腔、呼気等が挙げられる。例えば、手からの分泌成分を採取する場合には、手全体を非透過性の袋（例えばビニル袋）で覆って手首の部分で密封しておくことができる。袋には、袋の中のガスを取り出すことができる開閉可能な採取口を有すると好ましい。分泌成分を採取する準備は、ストレス付与工程の前にしておくと好ましい。袋の中のガスは、空気であるか、又は不活性ガス（例えば窒素ガス）で置換してあると好ましい。被検者に精神的ストレスを付与した後、袋の中のガスを上述の採取口から別の容器に移し替えることができる。
【００７４】
次に、採取したガスから硫黄化合物及び／又は生理活性物質を抽出してもよい（Ｓ１３；抽出工程）。硫黄化合物としては上述に挙げたような硫黄化合物が挙げられる。抽出成分には、特に、アリルメルカプタン及びジメチルトリスルフィドが含まれると好ましい。
【００７５】
本開示の第２実施形態に係る分泌ガス組成物及びその採取方法によれば、ストレス臭対策の研究開発のみならず、精神的ストレス状態にある時に分泌される物質の研究開発を行うことができる。例えば、精神的ストレス状態にあるときに分泌された物質の生理活性作用等の研究開発を行うことができる。
【００７６】
本開示の第３実施形態に係る精神状態の判定方法について説明する。第３実施形態においては、精神的ストレスが掛かると硫黄化合物が分泌されることを利用して、被検者の精神状態を判定する。あるいは、被検者がどのような状態において精神的ストレスが掛かるかを判定する。図２に、第３実施形態の第１例に係る精神状態の判定方法の概略工程図を示す。
【００７７】
まず、第２実施形態における採取工程（Ｓ１２）と同様にして、被検者から分泌された成分を含むガスを採取する（Ｓ２１；第１の採取工程）。被検者の体内から検査対象となるガスが発生していない場合、空気を採取することになる。
【００７８】
次に、第１の採取工程（Ｓ２１）において採取したガスに精神的ストレス分泌成分が含まれているか否かによって被検者の精神状態を判定する（Ｓ２２；判定工程）。精神的ストレス分泌成分は、第２実施形態における被検者からの分泌成分と同じである。
【００７９】
精神状態を判定する第１の方法としては、採取したガスの臭いを分析することができる。採取したガスから硫黄化合物（特に、アリルメルカプタン及びジメチルトリスルフィドのうちの少なくとも一方）の臭いを検知した場合に、被検者は精神的ストレスが負荷された状態にあったと判定することができる。付随的に又は単独で、採取したガスから１−オクテン−３−オンの臭いを検知した場合にも被検者は精神的ストレスが負荷された状態にあったと判定することができる。臭いを検知する方法としては、例えば、採取したガスの臭いを直接嗅ぐことによって硫黄化合物の臭いがするかどうかを確認することができる。また、ガスクロマトグラフィ嗅覚分析法（Gas Chromatography Olfactometry）を用いて硫黄化合物の臭いがするかどうかを確認することができる。
【００８０】
精神状態を判定する第２の方法としては、採取したガスの組成分析をすることができる。採取ガスから硫黄化合物が検知された場合、又は所定量以上の硫黄化合物が検知された場合に、被検者は精神的ストレスが負荷された状態にあったと判定することができる。検知対象となる硫黄化合物としては、アリルメルカプタン及びジメチルトリスルフィドのうちの少なくとも一方とすることができる。アリルメルカプタン及びジメチルトリスルフィド以外の硫黄化合物としては、硫化水素、メチルメルカプタン、二硫化炭素、ジメチルスルフィド、及びジメチルジスルフィドからなる群から選択される少なくとも１つの化合物が所定量以上検知された場合にも被検者は精神的ストレスが負荷された状態にあったと判定することができる。付随的に又は単独で、採取したガスから１−オクテン−３−オンを検知した場合、又は所定量以上の１−オクテン−３−オンを検知した場合に、被検者は精神的ストレスが負荷された状態にあったと判定してもよい。硫黄化合物及び１−オクテン−３−オンの検知には、例えば、ガスクロマトグラフィ、直接質量分析法（ＤＡＲＴ（Direct Analysis in Real Time）−ＭＳ（Mass Spectrometry））等を使用することができる。例えば、アリルメルカプタンを０．１ｐｐｂ以上検知した場合に、ジメチルトリスルフィドを１ｐｐｂ以上検知した場合に、１−オクテン−３−オンを０．１ｐｐｂ以上検知した場合に、及び／又はこれらのいずれかの組み合わせが生じた場合に、被検者は精神的ストレスが負荷された状態にあったと判定することができる。
【００８１】
精神状態を判定する第１の方法と第２の方法は、単独で用いてもよいし、併用してもよい。
【００８２】
図３に、第３実施形態の第２例に係る精神状態の判定方法の概略工程図を示す。第２例は、第１例の各工程に加えて、判定工程（Ｓ３３）の前であって、第１の採取工程（Ｓ３２）の前又は第１の採取工程の間に、被検者を第１の状態に置く工程（Ｓ３１；第１の状態設定工程）をさらに含む。第１の状態は、被検者の精神状態を判定したい状態である。例えば、被検者を特定の状態においたり、被検者に何らかの行為を要求したり、被検者に対し何らかの精神的ストレスを掛けたりすることもできる。
【００８３】
第１の採取工程（Ｓ３２）においては、第１の状態にある被検者から分泌された分泌成分を採取する。第１の状態において被検者に精神的ストレスが掛かっていた場合には、被検者から精神的ストレス分泌物が分泌される。被検者に精神的ストレスが掛かっていない場合には、精神的ストレス分泌物が分泌されない。
【００８４】
判定工程（Ｓ３３）は第１例と同様である。
【００８５】
図４に、第３実施形態の第３例に係る精神状態の判定方法の概略工程図を示す。第３例は、第２例の各工程に加えて、第２の状態設定工程、及び第２の採取工程をさらに含む。第３例においては、第１の状態のときの採取ガスと第２の状態のときの採取ガスとの比較によって精神状態を判定することができる。以下においては、第２の状態を精神的ストレスのかかっていない状態（基準状態；例えばリラックスした状態）とする。第１の状態設定工程（Ｓ４１）及び第１の採取工程（Ｓ４２）は第２例と同様とすることができる。
【００８６】
第１の状態が、被検者の精神状態を判定したい状態とする場合には、第２の状態は、第１の状態の比較対照となる基準状態とすることができる。例えば、第２の状態は、被検者に精神的ストレスが掛かっていない状態とすることができる。
【００８７】
第１の状態と第２の状態の差異以外は、第２の状態設定工程（Ｓ４３）及び第２の採取工程（Ｓ４４）は、第１の状態設定工程（Ｓ４１）及び第１の採取工程（Ｓ４２）と同様とすることができる。Ｓ４１〜Ｓ４４において被検者は同一人である。第１の状態に係る工程と第２の状態に係る工程の順序はいずれであってもよい。第１の状態に係る工程と第２の状態に係る工程は、分泌物量の変動を抑制するため、近接した時間に行うと好ましい。例えば、第１の状態に係る工程と第２の状態に係る工程は同日に行うと好ましい。
【００８８】
判定工程（Ｓ４５）においては、第１の状態において採取した第１のガスと第２の状態において採取した第２のガスとを比較して被検者の精神状態を判定する。例えば、第１のガスの硫黄化合物の臭いが、基準となる第２のガスよりも強い場合に、被検者は第１の状態において精神的ストレスが掛かった状態にあったと、あるいは、第２の状態よりも第１の状態のほうが精神的ストレスが掛かると判定することができる。また、第１のガスにおける硫黄化合物の量が第２のガスよりも多い場合に被検者は第１の状態において精神的ストレスが掛かった状態にあったと、あるいは、第２の状態よりも第１の状態のほうが精神的ストレスが掛かると判定することもできる。ここでいう硫黄化合物は、第１及び第２実施形態における硫黄化合物と同じである。第１のガスと第２のガスとで、硫黄化合物に臭い及び／又は硫黄化合物量に有意な差がなかった場合には、第１の状態において被検者には精神的ストレスが掛かっていなかった（精神的ストレスが掛かっていない状態にあった）、あるいは、被検者にとって第１の状態は精神的ストレスが掛かっていない状態である（精神的ストレスが掛からない）と判定することができる。
【００８９】
第１の状態とは条件を変更した第３の状態、第４の状態等の複数の状態で同様の工程を行うことにより、被検者がどのような状態において精神的ストレスが掛かるかも判定することができる。
【００９０】
第３例によれば、にんにく等の硫黄含有食物の経口摂取により体内から硫黄化合物が放出されている場合であっても、第１の状態における第１のガスと第２の状態における第２のガスとの相対的比較によって、第１の状態と第２の状態との硫黄化合物の増減を確認することができる。
【００９１】
第３実施形態によれば、被検者に精神的ストレスが掛かっているかどうかを判定することができる。特に、被検者が精神的ストレスを自覚できていなくても、精神的ストレスを感じているかどうかを客観的に判定することができる。また、被検者がどのような状態にあるときに精神的ストレスを感じるかを客観的に判定することができる。
【実施例】
【００９２】
本開示のガス組成物及びその採取方法について、以下に例を挙げて説明する。しかしながら、本開示の分泌ガス組成物及びその採取方法は以下の例に限定されるものではない。【００９３】
［試験例１〜５］
ストレス臭がいかなる状況によって生じるかを検証した。被検者を表１に示す試験条件下におき、その際に被検者の手から分泌されるガスを採取した。被検者からの分泌ガスは、図５に示すように、試験中、被検者の手全体をビニル袋で覆って手首の部分で密封することによって採取した。試験終了後、各袋の中のガスの臭いを判定者が直接嗅ぎ、ストレス臭の強度を以下の基準で確認した。表１に、各試験例における試験中の被検者の心拍数及びストレス臭の強度を示す。【００９４】
ストレス臭の強度：
Ａ  硫黄化合物の臭いが強くした；
Ｂ  硫黄化合物の臭いが少しした；
Ｃ  硫黄化合物の臭いはしなかった。【００９５】
【表１】
2019198648.tif 000003
【００９６】
被検者が（精神的に）緊張したと感じた試験例１及び２においてはストレス臭の臭いが強くした。しかしながら、試験例３〜５における思考時、運動時、及び安静時においてはストレス臭はしなかった。これより、ストレス臭は、物理的・生理的な原因（運動）によるものではなく、精神的負荷により心拍数が上がるような緊張している状態において分泌されるものと考えられる。【００９７】
また、この結果を利用することにより、被検者からストレス臭するか否か、又はストレス臭成分が分泌されるか否かによって、被検者が緊張状態にあるかどうかを判定することができると考えられる。また、被検者がどのような状況のときに緊張するのかを判定することができると考えられる。【００９８】
［試験例６］
ストレス臭の原因物質について調査した。まず、被検者を試験例２と同様の条件下において緊張状態とさせた。このとき、試験例２と同様にして被検者の手からの分泌成分を含むガスを採取した。分泌ガスに含まれている硫黄化合物について、ガスクロマトグラフィ質量分析法（ＧＣ／ＭＳ）によって分析した。分析結果を表２に示す。【００９９】
精神的に緊張している人からは、アリルメルカプタン及びジメチルトリスルフィドを含む硫黄化合物が分泌されることが確認された。これらの硫黄化合物の臭いは、ストレス臭とも合致している。したがって、ストレス臭の原因は、アリルメルカプタン及びジメチルトリスルフィドを含む硫黄化合物であると考えられる。また、メチルメルカプタンもストレス臭に関与していると考えられる。表２に示す成分以外にも、硫化水素、硫化メチル、二硫化炭素、ジメチルスルフィド、ジメチルジスルフィド等の硫黄化合物が採取ガスから検出された。【０１００】
【表２】
2019198648.tif 000004
【０１０１】
［試験例７］
試験例６の結果を基に、ストレス臭のモデル組成物を作製した。モデル組成物は、空気に各硫黄化合物を混合することによって作製した。モデル組成物の組成を表３に示す。【０１０２】
作製したモデル組成物の臭いと、被検者から採取したストレス臭とを比較した。その結果、モデル組成物の臭いは、ストレス臭と同様の臭いであった。これより、少なくとも表３に示す組成と同様ないし近似の組成であれば、ストレス臭は再現できると考えられる。【０１０３】
【表３】
2019198648.tif 000005
【０１０４】
本発明の体臭のモデル組成物、ガス組成物、ガスの採取方法、及び精神状態の判定方法
は、上記実施形態及び実施例に基づいて説明されているが、上記実施形態及び実施例に限定されることなく、本発明の範囲内において、かつ本発明の基本的技術思想に基づいて、各開示要素（請求の範囲、明細書及び図面に記載の要素を含む）に対し種々の変形、変更及び改良を含むことができる。また、本発明の請求の範囲の範囲内において、各開示要素の多様な組み合わせ・置換ないし選択が可能である。【０１０５】
本発明のさらなる課題、目的及び形態（変更形態含む）は、請求の範囲を含む本発明の全開示事項からも明らかにされる。【０１０６】
本書に記載した数値範囲については、別段の記載のない場合であっても、当該範囲内に含まれる任意の数値ないし範囲が本書に具体的に記載されているものと解釈されるべきである。
【図１】
2019198648.tif 000006
【図２】
2019198648.tif 000007
【図３】
2019198648.tif 000008
【図４】
2019198648.tif 000009
【図５】
2019198648.tif 000010
【国際調査報告】
2019198648.tif 000011
2019198648.tif 000012
2019198648.tif 000013
2019198648.tif 000014
2019198648.tif 000015
2019198648.tif 000016
2019198648.tif 000017
2019198648.tif 000018
2019198648.tif 000019